(57)【特許請求の範囲】
【請求項１】
超音波外科ブレードにおいて、
側壁部を含む下面部と、
上面部とを備え、当該上面部が前記下面部の幅よりも大きな幅を有しており、さらに、
第１の切断面部と、
切断エッジ部と、を備え、
前記第１の切断面部が前記上面部と前記下面部の間で前記側壁部から延び、
前記第１の切断面部および前記側壁部が前記ブレードの外側に画定する夾角が１８０度未満であり、
前記切断エッジ部が前記第１の切断面部と前記上面部との交差部分により形成されている超音波外科ブレード。
【請求項２】
前記第１の切断面部および前記上面部が前記交差部分において前記ブレードの内側に画定する夾角が２５度乃至３５度の範囲にある請求項１に記載の超音波外科ブレード。
【請求項３】
前記第１の切断面部が凹状をなし、前記第１の切断面部および前記側壁部が前記ブレードの内側に画定する夾角が１８０度未満である請求項１または２に記載の超音波外科ブレード。
【請求項４】
前記上面部が第２の切断面部をさらに有し、前記第２の切断面部が前記切断エッジ部において前記第１の切断面部と交差する請求項１乃至３のいずれか１項に記載の超音波外科ブレード。
【請求項５】
前記上面部の少なくとも一部分が平坦であり、前記第１の切断面部の少なくとも一部分が平坦であり、前記上面部の前記平坦部分が前記第１の切断面部の前記平坦部分に対して概ね平行である請求項１乃至４のいずれか１項に記載の超音波外科ブレード。
【請求項６】
前記上面部の幅が前記下面部の幅よりも０．０５ミリ乃至１．５ミリだけ広い請求項１乃至５のいずれか１項に記載の超音波外科ブレード。
【請求項７】
前記ブレードが湾曲状である請求項１乃至６のいずれか１項に記載の超音波外科ブレード。
【発明の詳細な説明】
関連出願
本特許出願は以下の同時係属特許出願、すなわち、１９９９年６月２９日に出願された米国特許出願第０９／１０６，４１５号、１９９９年１０月５日に出願された米国特許出願第０９／４１３，２２５号、および２０００年３月３１日に出願された米国特許出願第０９／５４，１３７号（代理人整理番号：ＥＮＤ−６３７）に関連する。
【０００１】
【発明の属する技術分野】
本発明は一般に外科器具において使用するための超音波外科ブレードに関し、特に、改善された切断および凝固特性を有する超音波外科ブレードに関する。
【０００２】
【従来の技術】
中空コアおよび中実コアの両方の器具をそれぞれ含む超音波装置が多くの医療状態の安全で有効な治療において使用されている。超音波器具、特に、中実コアの超音波器具は、これらの器具が超音波周波数で外科用エンド・イフェクタに伝達される機械的振動の形態のエネルギーにより器官組織を切断および／または凝固するために使用できる点で、有利である。超音波振動は、適当なエンド・イフェクタにより適当なエネルギー・レベルで器官組織に伝達される場合に、組織を切断、切開、または焼灼するために使用できる。中実コア技法を利用する超音波器具は、その超音波トランスデューサから導波管を介して外科用エンド・イフェクタに伝達できる超音波エネルギーの量の点で、特に有利である。このような装置は内視鏡処理または腹腔鏡処理のような切開処理または最少侵襲性の処理において使用可能であり、このような場合において、そのエンド・イフェクタはトロカールの中を通って外科処理を行なう部位に到達する。
【０００３】
上記の器具のエンド・イフェクタ（例えば、切断ブレード）を超音波周波数で活性化することにより、隣接組織内に局在化した熱を発生する長手方向に沿う振動が生じて、切断処理および凝固処理が行なえる。超音波器具の性質により、特定の超音波により作動するエンド・イフェクタは、例えば、切断処理および凝固処理を含む多数の機能を実行するように構成できる。しかしながら、超音波周波数でブレードを振動させることによりエンド・イフェクタ内に生じる構造的な応力は多数の不所望な作用を生じる可能性がある。すなわち、このような不所望な作用として、例えば、導波管内における過剰な熱の発生または尚早な応力破壊に繋がる器具の導波管における横方向の移動が含まれる。
【０００４】
最少侵襲性の外科手術用の器具において使用されるような細長い超音波導波管はエンド・イフェクタにおける不均衡により生じる横方向の振動の影響を特に受けやすい。特定の用途においては、エンド・イフェクタの性能を高めるために１個以上の軸方向に非対称な形状部分（例えば、ブレードの湾曲部分）を含むことが望ましい場合がある。また、特定の外科処理を行なうためにエンド・イフェクタを比較的長く構成することが望ましい場合もある。非対称な超音波外科ブレードの均衡を保つ方法が本明細書に参考文献として含まれる１９９９年６月２９日に出願された米国特許出願第０９／１０６，６６１号に記載されている。
【０００５】
米国特許出願第０９／１０６，６６１号に記載されるような超音波外科器具は極めて有効であるが、依然として改善の予知が残されている。その中の外科医により時折聞かれる不満点として、切断処理が遅いこと、あるいは、制御精度が必要とされる程度に満たないことがある。すなわち、超音波外科ブレードのエッジ部はその先端が鈍化または丸くなって切断処理が遅くなるために、切断処理中に組織に供給する熱がさらに増える場合が多い。しかしながら、このような現象は切断処理中の止血効果を高めることになる。
【０００６】
【発明が解決しようとする課題】
それゆえ、改善された超音波外科ブレードを構成することが望まれている。さらに、切断速度が高く、外科医が望む止血効果を維持する超音波外科ブレードを提供することが有利である。また、制御性および精度の高い超音波外科ブレードを提供して高い制御能力を必要とする切断処理を行なうことが有利であると考えられる。従って、本発明の目的は改善された切断および凝固特性を有して上記の利点を提供でき、且つ、これまでの超音波器具または装置の不都合点を解消し得る超音波外科器具を提供することである。
【０００７】
【課題を解決するための手段】
本発明は上面部、下面部、および少なくとも１個の切断エッジ部を有する超音波外科ブレードに関する。この切断エッジ部は上面部および下面部の中間の切断面部により形成されていて、上面部は下面部の幅よりも大きな幅を有している。この切断エッジ部はブレードの切断速度を高めると共に、所望の止血作用を行なうように最適化されている。なお、このブレードは直線状または湾曲状のいずれでもよい。実施形態の一例において、上記切断面部の少なくとも一部分が上面部の少なくとも一部分に対して概ね平行である。さらに別の実施形態においては、上記の切断エッジ部が上記第１の切断面部に対して交差して切断エッジ部を形成する第２の切断面部により形成されている。
【０００８】
本発明のさらに別の実施形態において、上記下面部がさらに上記第１の切断面部に対して交差して第１の切断エッジ部を形成する第１の側壁部を有している。上記の各切断面部と上面部との間の角度により、切断エッジ部は鋭利になるか鈍化する。本発明のさらに別の実施形態において、ブレードの潜り込みをなくして、凝固処理中の精度を高めるために、ブレードの下面部に中央隆起部が備えられている。第２の切断エッジ部が上記の上面部と下面部との間に形成された第２の中間の切断面部を備えることにより形成できる。さらに、この第２の切断エッジ部は上記第２の中間の切断面部に交差する第２の切断面部、および／または、上記第２の中間の切断面部に交差して第２の切断エッジ部を構成する第２の側壁部により形成することができる。
【０００９】
本発明の新規な特徴を特許請求の範囲に記載する。なお、本発明自体は、その構成および動作方法の両方について、本発明のさらに別の目的および利点と共に、図面に基づく以下の説明を参考にすることにより最良に理解できる。
【００１０】
【発明の実施の形態】
本発明は一般に外科器具において使用するための超音波外科ブレードに関し、特に、改善された切断特性および凝固特性を有する超音波外科ブレードに関する。本発明によるブレードはその切断特性および凝固特性の点で胸部外科手術において特に有益であるが、このブレードは一般の軟質組織の切断処理および凝固処理においても有用である。さらに、このブレードは直線状または湾曲状にすることができ、切開処理または腹腔鏡処理の用途の量において有用である。
【００１１】
図１は滅菌処理した本発明による超音波外科器具１０の分解斜視図である。この超音波外科器具１０は、例えば、ガンマ放射線滅菌処理、エチレン・オキシド処理、オートクレーブ処理、滅菌処理液内への浸漬、またはその他の既知の処理のような、当該技術分野において既知の方法により滅菌処理できる。図１において、超音波伝達組立体１１は一般にブレード１２および超音波伝達用導波管１４により示されるエンド・イフェクタを備えている。これらの超音波ブレード１２および超音波伝達用導波管１４は、例えば、Ｔｉ６Ａ１４Ｖ（アルミニウムおよびバナジウムを含むチタンの合金）、アルミニウム、ステンレス・スチール、またはその他の既知の材料のような超音波エネルギーの伝達に適した材料による単一のユニット構成として示されている。あるいは、ブレード１２は導波管１４に対して分離可能（および異なる構成部品）であって、例えば、スタッド溶接、接着、またはその他の既知の方法により連結できる。
【００１２】
超音波伝達用導波管１４は取付用Ｏ−リング１８およびシール用リング２０により外側シース１６の中に配置されている。さらに、１個以上の別のダンパーまたは支持部材（図示せず）を超音波伝達用導波管１４に沿って備えることができる。超音波伝達用導波管１４は取付ピン２１により外側シース１６に固定されており、このピン２１は外側シース１６の取付穴２３および超音波伝達用導波管１４の取付スロット２５の中に貫通している。
【００１３】
図２は座標系を含み、当該座標系において、ｘ軸は超音波伝達用導波管１４の中心軸２４に沿う軸として示されており、ｙ軸は処理領域２６の湾曲方向に沿う軸として示されている。なお、本明細書に記載する本発明の各実施形態において、ブレード１２はバランス・ノード２２において超音波伝達用導波管１４の先端部に固定されている。超音波伝達用導波管１４の中心軸２４は当該導波管１４の基端部から導波管１４の先端部まで延在している。ブレード１２は当該ブレード１２の先端部に配置されている処理領域２６を備えている。さらに、この処理領域２６は丸みを付けた先端部３４を有している。
【００１４】
図３において、処理領域２６は１個以上の切断エッジ部３６を備えている。この切断エッジ部３６（１個のみが示されている）は処理領域２６の両側に配置されていて、当該処理領域２６の基端部から丸みを付けた先端部３４まで延在している。さらに、処理領域２６は上面部３０および下面部３２を有している。この上面部３０はブレードのｚ軸に沿って概ね平面状または平坦である。
【００１５】
図４に示すように、下面部３２は側壁部３３および中央隆起部３７を備えている。中央隆起部３７は均衡領域２８の先端部から丸みを付けた先端部３４まで処理領域の中心部に沿って延在している。この中央隆起部３７は処理領域２６に対して強度、硬さおよび剛性を賦与している。
【００１６】
図５において、中央隆起部３７および側壁部３３は下面部３２の大部分を形成している。各側壁部３３は中央隆起部３７から切断面部５２まで延在している。切断エッジ部３６は図１０（Ｂ）に示すように上面部３０および切断面部５２の交差線により形成されている。あるいは、上面部３０は第２の切断面部５４を備えていて、切断エッジ部３６が図１０（Ａ）に示すように第２の切断面部５４および切断面部５２の交差線により形成されていてもよい。
【００１７】
図７および図８は本発明の別の実施形態を示しており、この実施形態においては、上面部３００が第２の切断面部を有していない。処理領域２６は１個以上の切断エッジ部３６０を有している。各切断エッジ部３６０は処理領域２６の両側に配置されていて、当該処理領域２６の基端部から丸みを付けた先端部３４０まで延在している。さらに、処理領域２６は上面部３００および下面部３２０を有している。上面部３００はブレードのｚ軸に沿って概ね平面状または平坦であるが、湾曲状にすることもできる。さらに、切断エッジ部３６０はこの上面部３００および切断面部５２０の交差部分により形成されている。
【００１８】
図９において、処理領域２６はブレード曲率Ａを有する湾曲したブレード３１により構成されている。本発明の一実施形態において、ブレード曲率Ａは、例えば、約０．９インチ（２．３センチ）±約０．３インチ（０．８センチ）とすることができる。さらに、湾曲したブレード３１は約０．０５０インチ（０．１３センチ）±約０．０２インチ（０．０５センチ）の厚さＲを有する。また、本発明の一実施形態において、湾曲したブレード３１は第１の曲率半径Ｍおよび第２の曲率半径Ｓを有する。本発明のこの実施形態において、第１の曲率半径Ｍおよび第２の曲率半径Ｓはそれぞれ第１の均衡形状部および第２の均衡形状部分として作用する。本発明の一実施形態において、曲率半径Ｓは、例えば、約０．２５インチ（０．６４センチ）±約０．１２５インチ（０．３２センチ）とすることができる。さらに、図示の本発明の実施形態において、湾曲したブレード３１は約０．７５０インチ（１．９１センチ）±約０．７４９インチ（１．９０センチ）の曲率半径Ｍを有する。さらに、本発明の一実施形態において、湾曲したブレード３１は約１．０インチ（２．５４センチ）±約０．５インチ（１．２７センチ）の長さを有しており、この場合の長さＧはノード部２２から湾曲したブレード３１の先端部までの長さである。
【００１９】
さらに、図１０（Ａ）に示す本発明の実施形態において、上面部３０は、例えば、約０．１１５インチ（０．２９センチ）±０．００１インチ（０．００３センチ）の幅Ｃを有している。また、中央隆起部３７は、例えば、約０．０３０インチ（０．０８センチ）±約０．００３インチ（０．００８センチ）の幅Ｄを有している。図１０（Ａ）の実施形態において、湾曲したブレード３１の断面は側壁部３３、中央隆起部３７、切断面部５２、および上面部３０により構成されている。上面部３０は下面部３２の幅よりも約０．００４インチ（０．０１０センチ）、好ましくは下面部３２の幅よりも０．０１０インチ（０．０２５センチ）ほど長い幅を有している。
【００２０】
切断エッジ部３６の拡大図を図１１に示す。上面部３０は第２の切断面部５４により傾斜状に削ぎ取られている。第２の切断面部５４は切断面部５２と交差して夾角αを形成している。この角度αは約１０度乃至約６０度の有効範囲を有しており、好ましくは、約２５度乃至約３５度の範囲内である。さらに、切断面部５２の幅は約０．００２インチ（０．００５センチ）乃至約０．０６０インチ（０．１５２センチ）の有効範囲を有しており、好ましくは、約０．００５インチ（０．０１３センチ）乃至０．０２０インチ（０．０５１センチ）の範囲内である。このように切断面部５２を有する切断端部３６を構成することにより、凝固特性を損なうことなく処理領域２６における切断速度を向上するという予想外の結果が得られた。
【００２１】
図１２の実施形態は本発明による超音波ブレードに切断面部を備えるための別の方法を示している。この実施形態においては、側壁部３３が円形の切断面部７２を介して第２の切断面部５４に連接している。この円形の切断面部７２は、例えば、曲率半径７０を有する丸みを付けた切断工具により側壁部３３を加工することにより形成できる。角度βはエッジ部３６における円形の切断面部７２の接線と第２の切断面部５４との間の角度である。この角度βは約１０度乃至約６０度の有効範囲を有しており、好ましくは約２５度乃至約３５度の範囲内である。
【００２２】
図１３および図１４は処理領域２６のブレード・エッジ部３６を含むエッジ部をばり取りする方法を示している図である。このばりは製造プロセスによりブレード３１のエッジ部においてできる材料の断片である。これらのばりはブレードに沿って一定しない切断速度を生じるために、使用中に外科医が精度の低下を感じる。それゆえ、このようなばりを除去してブレードに沿う一定した切断機能を賦与することが望ましい。しかしながら、標準的なばり取り方法はエッジ部３６における切断面部５２の利点を維持するための最適な方法よりも劣る。
【００２３】
通常、ばりは、例えば、バフ磨き、研磨処理、または化学エッチングにより除去する。しかしながら、このような標準的なばり取り方法はエッジ部３６を鈍化して、ブレード３１の切断速度を低下する恐れがある。そこで、ブレード３１のような超音波装置のばり取りの新規な方法は、図１３および図１４に基づいて以下に説明するように、ばりを除去するために超音波外科器具１０の同調超音波特性を利用することである。
【００２４】
図１３において、超音波伝達組立体１１がハンド−ピース５６に音響学的に連結されて示されている。このハンド−ピース５６はフット−スイッチ５８により作動する発生装置６０に電気的に接続している。すなわち、フット−スイッチ５８を押すことにより発生装置６０が作動し、電気的なエネルギーがハンド−ピース５６に供給される。ハンド−ピース５６はこの電気的エネルギーを超音波伝達組立体１１および処理領域２６の超音波動作に変換する。これにより、処理領域２６は約５５．５キロヘルツの周波数において２０マイクロメートル乃至１５０マイクロメートルの変異量で振動する。
【００２５】
図１４において、超音波外科器具１０の先端部分における処理領域２６を例として、超音波により作動している装置のばり取り方法を説明する。蓋６６を伴うジャー６４は研磨材料または研磨用媒体６２を収容している。蓋６６は少なくとも１個の開口部６８を備えており、この開口部６８を通して処理領域２６が媒体６２の中に挿入されている。この処理領域２６が媒体６２の中で作動することにより、当該処理領域２６のばりが除去されると共に、処理領域２６の所望の品質および特性が維持される。
【００２６】
媒体６２は研磨材料である。例えば、この媒体６２は、タルク、圧潰したクルミの殻、圧潰した加熱セラミック、ガラス・ビーズ、プラスチック、酸化アルミニウム、ステンレス・スチール、砂、圧潰したシャンペン・ボトル・ガラス、またはその他の研磨用、ビーズ噴射仕上用、砂噴射仕上用等に使用する既知の材料の単品または組合せを含む。処理領域２６のような超音波外科器具の場合に、１０メッシュ乃至４０メッシュ、最も好ましくは２４メッシュの圧潰したシャンペン・ボトル・ガラスのガラス粒子を使用することが好ましい。この「メッシュ」は１線形インチ（２．５４センチ）当たりの開口部の数で示されるスクリーンの寸法、またはこれを通過する粒子の寸法である。適当な媒体は４４１４０  オハイオ州クリーブランド、ブロードウェイ・アベニュー  ２６１２３のN. T. Ruddock社から入手可能なAluma Glass #24である。
【００２７】
さらに微細なメッシュの媒体６２は処理領域２６から比較的大きなばりを除去せずに砂噴射した状態の外観を形成する。また、さらに粗いメッシュの媒体６２は処理領域２６から大きなばりを除去して、ブレード・エッジ部３６の鈍化の無い臨床的効果を損なわない外観仕上げを形成する。しかしながら、極めて粗い媒体はばりを除去せず、ブレード３１に傷ついたまたは損傷した表面外観を残す。
【００２８】
媒体６２の中でブレード３１を短時間作動することにより大きなばりが除去されると共に、当該ブレード・エッジ部３６が媒体６２に接触しながら好ましい方向に移動することにより、このブレード・エッジ部３６の鋭利さが維持できる。この場合に、媒体の種類およびメッシュ・サイズにより、２秒乃至２０秒の媒体中における動作により、エッジ部３６の鋭利さを損なうことなく、全ての不所望なばりが十分に除去できる。なお、動作の持続時間を長くするほど、ブレード・エッジ部３６の曲率半径または鋭さが制御可能に減少して、必要とされる処理領域２６の作用効果が最適化できる。
【００２９】
以上、本発明の好ましい実施形態を図示し且つ説明したが、当該技術分野における熟練者において、これらの実施形態が例示的な目的のためのみに示されていることが明らかに理解できる。すなわち、上記の実施形態を参考にすることにより、当該技術分野における熟練者において、これらの多数の変形、変更、および置換を本発明に逸脱することなく行なうことが可能になる。従って、本発明の範囲および趣旨は本明細書に記載する特許請求の範囲およびその実施態様のみにより定められるものとする。
【００３０】
本発明の実施態様は以下の通りである。
（Ａ）超音波外科ブレードにおいて、
側壁部を含む下面部と、
上面部とを備え、当該上面部が前記下面部の幅よりも大きな幅を有しており、さらに、
第１の切断面部と、
切断エッジ部と、を備え、
前記第１の切断面部が前記上面部と前記下面部の間で前記側壁部から延び、
前記第１の切断面部および前記側壁部が前記ブレードの外側に画定する夾角が１８０度未満であり、
前記切断エッジ部が前記第１の切断面部と前記上面部との交差部分により形成されている超音波外科ブレード。
（１）前記超音波外科ブレードが滅菌処理されている実施態様Ａに記載の超音波外科ブレード。
（２）前記上面部と第１の切断面部との間の交差部分における夾角が約２５度乃至約３５度の範囲内である実施態様Ａに記載の超音波外科ブレード。
（３）前記第１の切断面部が曲線状である実施態様Ａに記載の超音波外科ブレード。
（４）前記上面部がさらに前記切断エッジ部において前記第１の切断面部に交差する第２の切断面部を有している実施態様Ａに記載の超音波外科ブレード。
（５）前記第１の切断面部および第２の切断面部の交差部分における夾角が約１０度乃至約６０度の範囲内である実施態様（４）に記載の超音波外科ブレード。
【００３１】
（６）前記第１の切断面部と第２の切断面部との間の夾角が約２５度乃至約３５度の範囲内である実施態様（５）に記載の超音波外科ブレード。
（７）前記上面部の少なくとも一部分が平坦であり、前記第１の切断面部の少なくとも一部分が平坦であり、当該上面部の平坦部分が第１の切断面部の平坦部分に対して概ね平行である実施態様（６）に記載の超音波外科ブレード。
（８）前記上面部の幅が前記下面部の幅よりも約０．００２インチ（０．００５センチ）乃至約０．０６０インチ（０．１５２センチ）だけ広い実施態様（６）に記載の超音波外科ブレード。
（９）前記切断エッジ部が鋭利である実施態様（８）に記載の超音波外科ブレード。
（１０）前記切断エッジ部が鈍化している実施態様（８）に記載の超音波外科ブレード。
【００３２】
（１１）前記鈍化した切断エッジ部が正方形である実施態様（１０）に記載の超音波ブレード。
本発明の参考例の実施態様は以下の通りである。
（Ｂ）湾曲状の超音波外科ブレードにおいて、
下面部と、
上面部と、
切断エッジ部とを備え、当該切断エッジ部が前記上面部と下面部との中間の第１の切断面部により形成されている湾曲状の超音波外科ブレード。
（１２）前記上面部がさらに前記切断エッジ部において前記第１の切断面部に交差する第２の切断面部を有している実施態様Ｂに記載の湾曲状の超音波外科ブレード。
（１３）前記第１の切断面部および第２の切断面部の交差部分における夾角が約１０度乃至約６０度の範囲内である実施態様（１２）に記載の湾曲状の超音波外科ブレード。
（１４）前記第１の切断面部と第２の切断面部との間の夾角が約２５度乃至約３５度の範囲内である実施態様（１３）に記載の湾曲状の超音波外科ブレード。
（１５）前記上面部の幅が前記下面部の幅よりも約０．００２インチ（０．００５センチ）乃至約０．０６０インチ（０．１５２センチ）だけ広い実施態様（１４）に記載の湾曲状の超音波外科ブレード。
【００３３】
（１６）前記第１の切断面部が曲線状である実施態様（１５）に記載の湾曲状の超音波外科ブレード。
（１７）前記切断エッジ部が鋭利である実施態様（１５）に記載の湾曲状の超音波外科ブレード。
（１８）前記切断エッジ部が鈍化している実施態様（１５）に記載の湾曲状の超音波外科ブレード。
（１９）前記湾曲状の超音波外科ブレードが滅菌処理されている実施態様（１５）に記載の湾曲状の超音波外科ブレード。
（２０）前記鈍化した切断エッジ部が正方形である実施態様（１８）に記載の湾曲状の超音波ブレード。
（２１）前記上面部の少なくとも一部分が平坦であり、前記第１の切断面部の少なくとも一部分が平坦であり、当該上面部の平坦部分が第１の切断面部の平坦部分に対して概ね平行である実施態様（１９）に記載の湾曲状の超音波外科ブレード。
【００３４】
【発明の効果】
従って、本発明によれば、従来に比して優れた超音波外科ブレードが提供できる。
【図面の簡単な説明】
【図１】本発明による超音波外科器具の分解斜視図である。
【図２】本発明による超音波伝達組立体の先端部の上面図である。
【図３】本発明による超音波伝達組立体の先端部の側面図である。
【図４】本発明による超音波伝達組立体の先端部の下面図である。
【図５】本発明による超音波伝達組立体の先端部における底部の斜視図である。
【図６】図５に示す超音波伝達組立体の先端部における上部の斜視図である。
【図７】本発明による直線的なブレードの側面図である。
【図８】図７の線８−８に沿う断面図である。
【図９】各種の曲率半径を含む、本発明による湾曲状ブレードの側面図である。
【図１０】（Ａ）は図９の線１０−１０に沿う断面図であり、（Ｂ）は図９の線１０−１０に沿う別の断面図である。
【図１１】図１０（Ａ）に示すブレード・エッジ領域の拡大図である。
【図１２】図１０（Ａ）に示すブレード・エッジ領域の別の実施形態の拡大図である。
【図１３】超音波トランスデューサおよびその付属の超音波発生装置に接続した本発明によるブレードを示す図である。
【図１４】本発明による超音波外科ブレードのばり取り方法を示す図である。
【符号の説明】
１０  超音波外科器具
１１  超音波伝達組立体
１２  ブレード
１４  導波管
２６  処理領域
６２  研磨用媒体
【図１】
0004330816.tif 000002
【図２】
0004330816.tif 000003
【図３】
0004330816.tif 000004
【図４】
0004330816.tif 000005
【図５】
0004330816.tif 000006
【図６】
0004330816.tif 000007
【図７】
0004330816.tif 000008
【図８】
0004330816.tif 000009
【図９】
0004330816.tif 000010
【図１０】
0004330816.tif 000011
【図１１】
0004330816.tif 000012
【図１２】
0004330816.tif 000013
【図１３】
0004330816.tif 000014
【図１４】
0004330816.tif 000015